(57)【要約】      （修正有）【課題】生活用品の技術分野に属し、特に、リュック長傘を提供する。【解決手段】傘面、傘骨、中棒５及び傘柄６を含み、傘面は第１傘面３と第２傘面４を含み、傘面は傘骨を被覆しており、傘骨は２本の第１傘骨１と６本の第２傘骨２を含み、第１傘骨の長さは第２傘骨の長さよりも大きく、第１傘骨の基端には第１傘骨の基端骨が接続されており、第１傘骨には第１傘骨の基端骨に接続される第１傘骨ワイヤーが設けられている。上ろくろ及び下ろくろの構造設計を変えることで、手動及び半自動のリュック傘を実現し、第１傘骨の基端骨と第２傘面を設計することで、使用者の背後スペースを十分に遮断可能となり、カバンの濡れが効果的に回避される。第１傘骨をすぼめると第１傘骨ワイヤーが第１傘骨の基端骨を反転させながら回収し、第２傘面をすぼめる。すぼめた後の第１傘骨の長さとすぼめた後の第２傘骨の長さはほぼ同等となるため、折り畳み及び携帯時の全体構造の見た目がよくなる。【選択図】図３
0003223768.tif 000002
【実用新案登録請求の範囲】
【請求項１】
傘面、傘骨、中棒（５）及び傘柄（６）を含み、
傘面は第１傘面（３）と第２傘面（４）を含み、第１傘面（３）と第２傘面（４）に一体成型設計を採用し、
傘面は傘骨を被覆しており、傘骨は２本の第１傘骨（１）と６本の第２傘骨（２）を含み、
第１傘骨（１）の長さは第２傘骨（２）の長さよりも大きく、第１傘骨（１）の基端には第１傘骨の基端骨（１２）が接続されており、且つ、第１傘骨（１）には、第１傘骨の基端骨（１２）に接続される第１傘骨ワイヤー（１１）が設けられており、
中棒（５）の底端に傘柄（６）が装着されており、中棒（５）の下端にはじきが装着されていることを特徴とするリュック長傘。
【請求項２】
中棒（５）の先端に上ろくろＩ（５１）が固定装着されており、中棒（５）に下ろくろＩ（５２）が覆設されており、第１傘骨（１）と第２傘骨（２）の上端は上ろくろＩ（５１）に接続され、第１傘骨（１）と第２傘骨（２）の中央は受骨を介して下ろくろＩ（５２）に接続され、
下ろくろＩ（５２）には、はじきと係合する係合溝が開設されていることを特徴とする請求項１に記載のリュック長傘。
【請求項３】
中棒（５）の先端に上ろくろＩＩ（５３）が固定装着されており、中棒（５）に下ろくろＩＩ（５４）とスライドスリーブが覆設されており、第１傘骨（１）と第２傘骨（２）の上端は上ろくろＩＩ（５３）に接続され、第１傘骨（１）と第２傘骨（２）の中央は受骨を介してスライドスリーブに接続されており、下ろくろＩＩ（５４）の内部には圧縮バネが装着されており、圧縮バネの上端はスライドスリーブに接続され、下ろくろＩＩ（５４）は接続ロッドを介して受骨に接続され、
下ろくろＩＩ（５４）には、はじきと係合する係合溝が開設されていることを特徴とする請求項１に記載のリュック長傘。
【請求項４】
第１傘骨の基端骨（１２）は第２傘面（４）で被覆されており、第２傘面（４）の両端は、第１傘骨（１）に隣接する２本の第２傘骨（２）の先端を被覆しており、
すぼめた後の第１傘骨（１）の長さは、すぼめた後の第２傘骨（２）の長さと同等であることを特徴とする請求項１に記載のリュック長傘。
【考案の詳細な説明】
【技術分野】
【０００１】
本考案は生活用品の技術分野に属し、具体的にはリュック長傘に関する。
【背景技術】
【０００２】
傘は日差しや雨を避けるための生活用品であるが、従来の傘は広げたときに傘面が円形又は正多角形に類似した形状となる。そのため、雨天には、傘面面積の限界から学生らが背負うカバンが雨に濡れやすい。カバンの材質が防水材料でない場合には中の本が容易に湿るため、学生らの勉強に支障をきたす。
【考案の概要】
【考案が解決しようとする課題】
【０００３】
上記の背景技術で提示した課題を解決するために、本考案は、従来技術では雨天の際にユーザが傘をさすと、傘面面積に限界があることから、雨による背後のカバンの濡れを効果的に解決できないとの技術的課題を解決し、ユーザの背後スペースを十分に遮断することで、カバンが雨に濡れるとの事態を効果的に回避するリュック長傘を提供する。
【課題を解決するための手段】
【０００４】
上記の目的を実現すべく、本考案は以下の技術方案を提供する。
【０００５】
リュック長傘であって、傘面、傘骨、中棒及び傘柄を含み、傘面は、第１傘面と第２傘面を含み、第１傘面と第２傘面に一体成型設計を採用し、傘面は傘骨を被覆しており、傘骨は２本の第１傘骨と６本の第２傘骨を含み、第１傘骨の長さは第２傘骨の長さよりも大きく、第１傘骨の基端には第１傘骨の基端骨が接続されており、且つ、第１傘骨には第１傘骨の基端骨に接続される第１傘骨ワイヤーが設けられており、中棒の底端に傘柄が装着されており、中棒の下端にはじきが装着されている。
【０００６】
好ましくは、中棒の先端に上ろくろＩが固定装着されており、中棒に下ろくろＩが覆設されており、第１傘骨と第２傘骨の上端は上ろくろＩに接続され、第１傘骨と第２傘骨の中央は受骨を介して下ろくろＩに接続され、下ろくろＩには、はじきと係合する係合溝が開設されている。
【０００７】
好ましくは、中棒の先端に上ろくろＩＩが固定装着されており、中棒に下ろくろＩＩとスライドスリーブが覆設されており、第１傘骨と第２傘骨の上端は上ろくろＩＩに接続され、第１傘骨と第２傘骨の中央は受骨を介してスライドスリーブに接続されており、下ろくろＩＩの内部には圧縮バネが装着されており、圧縮バネの上端はスライドスリーブに接続され、下ろくろＩＩは接続ロッドを介して受骨に接続され、下ろくろＩＩ（５４）には、はじきと係合する係合溝が開設されている。
【０００８】
好ましくは、第１傘骨の基端骨は第２傘面で被覆されており、第２傘面の両端は第１傘骨に隣接する２本の第２傘骨の先端を被覆している。傘を開くと、第１傘骨が第１傘骨の基端骨を展開するとともに、第２傘面を展開する。第２傘面は使用者の背後スペースを十分に遮断可能なことから、カバンの濡れが効果的に回避される。また、傘をすぼめると、第１傘骨がすぼまるに伴って、第１傘骨ワイヤーが第１傘骨の基端骨を反転させながら回収し、第２傘面をすぼめる。すぼめた後の第１傘骨の長さはすぼめた後の第２傘骨の長さと同等となるため、すぼめた後の傘を効果的に最適長さとすることができ、折り畳み及び携帯に都合がよい。
【考案の効果】
【０００９】
従来技術と比較して、本考案は以下の有益な効果を有する。
【００１０】
本考案は、上ろくろ及び下ろくろの構造設計を変えることで、手動及び半自動のリュック傘を実現している。第１傘骨の基端に第１傘骨の基端骨を接続し、第１傘骨の長さを第２傘骨の長さよりも大きくすることで第２傘面を突出させている。突出させた第２傘面により使用者の背後スペースを十分に遮断可能なことから、カバンの濡れが効果的に回避される。第１傘骨がすぼまるに伴って、第１傘骨ワイヤーが第１傘骨の基端骨を反転させながら回収し、第２傘面をすぼめる。すぼめた後の第１傘骨の長さはすぼめた後の第２傘骨の長さとほぼ同等となるため、すぼめた後の傘を効果的に最適長さとすることができる。これにより、折り畳み及び携帯時における全体構造がシンプル且つ美しくなり、実施しやすく、実用性にも極めて優れる。
【００１１】
図面は本考案の更なる理解のために用いられる。また、明細書の一部を構成して、本考案の実施例とともに本考案を解釈するために用いられるが、本考案を限定するものではない。
【図面の簡単な説明】
【００１２】
【図１】図１は、本考案の実施例１における手動のリュック長傘の構造を示す図である。
【図２】図２は、本考案の実施例１における手動のリュック長傘の傘骨と中棒の接続を示す図である。
【図３】図３は、本考案の実施例２における半自動のリュック長傘の構造を示す図である。
【図４】図４は、本考案の実施例２における半自動のリュック長傘の傘骨と中棒の接続を示す図である。
【図５】図５は、本考案のリュック長傘の実施を示す平面図である。
【００１３】
以下に、本考案の実施例における図面を組み合わせて、本考案の実施例における技術方案につき明瞭簡潔に述べる。なお、ここで記載する実施例は本考案の一部実施例にすぎず、すべての実施例でないことはいうまでもない。本考案の実施例に基づいて、当業者が創造的労働を要することなく取得するその他すべての実施例は、いずれも本考案の保護の範囲に属する。
【実施例１】
【００１４】
図１、図２、図５を参照して、本考案は以下の技術方案を提供する。即ち、手動のリュック長傘は、傘面、傘骨、中棒５及び傘柄６を含む。傘面は第１傘面３と第２傘面４を含み、第１傘面３と第２傘面４に一体成型設計を採用している。傘面は傘骨を被覆しており、傘骨は２本の第１傘骨１と６本の第２傘骨２を含む。第１傘骨１の長さは第２傘骨２の長さよりも大きく、第１傘骨１の基端には第１傘骨の基端骨１２が接続されている。且つ、第１傘骨１には、第１傘骨の基端骨１２に接続される第１傘骨ワイヤー１１が設けられている。第１傘骨の基端骨１２は第２傘面４で被覆されており、第２傘面４の両端は、第１傘骨１に隣接する２本の第２傘骨２の先端を被覆している。中棒５の底端には傘柄６が装着されており、中棒５の下端にははじきが装着されている。中棒５の先端には上ろくろＩ５１が固定装着されている。また、中棒５には下ろくろＩ５２が覆設されている。第１傘骨１と第２傘骨２の上端は上ろくろＩ５１に接続され、第１傘骨１と第２傘骨２の中央は受骨を介して下ろくろＩ５２に接続されている。下ろくろＩ５２には、はじきと係合する係合溝が開設されている。
【００１５】
傘を開く際には、一方の手ではじきを抑えながら、もう一方の手で下ろくろＩ５２を握り、傘を手で押し動かすことで第１傘面３を展開する。また、第１傘骨１が、第１傘骨の基端骨１２を展開するとともに、第２傘面４を展開する。第２傘面４は使用者の背後スペースを十分に遮断可能なことから、カバンの濡れが効果的に回避される。
【００１６】
傘をすぼめる際には、下ろくろＩ５２を手で握り、下ろくろＩ５２の係合溝とはじきを締結する。第１傘骨１をすぼめると、第１傘骨ワイヤー１１が第１傘骨の基端骨１２を反転させながら回収し、第２傘面４をすぼめる。すぼめた後の第１傘骨１の長さはすぼめた後の第２傘骨２の長さと同等となるため、すぼめた後の傘を効果的に最適長さとすることができ、折り畳み及び携帯に都合がよい。
【実施例２】
【００１７】
図３、図４、図５を参照して、半自動のリュック長傘は、以下の点において実施例１の技術的特徴と異なっている。即ち、中棒５の先端には上ろくろＩＩ５３が固定装着されている。また、中棒５には、下ろくろＩＩ５４とスライドスリーブが覆設されている。第１傘骨１と第２傘骨２の上端は上ろくろＩＩ５３に接続され、第１傘骨１と第２傘骨２の中央は受骨を介してスライドスリーブに接続されている。下ろくろＩＩ５４の内部には圧縮バネが装着されている。圧縮バネの上端はスライドスリーブに接続され、下ろくろＩＩ５４は接続ロッドを介して受骨に接続されている。下ろくろＩＩ５４には、はじきと係合する係合溝が開設されている。
【００１８】
傘を開く際には、手ではじきを抑えることで、下ろくろＩＩ５４の係合溝からはじきを離脱させる。すると、圧縮バネの弾性力によって、下ろくろＩＩ５４とスライドスリーブが中棒５上で上方に弾かれて、第１傘骨１と第２傘骨２が傘の第１傘面３を展開する。また、第１傘骨１が、第１傘骨の基端骨１２を展開するとともに、第２傘面４を展開する。第２傘面４は使用者の背後スペースを十分に遮断可能なことから、カバンの濡れが効果的に回避される。
【００１９】
傘をすぼめる際には、下ろくろＩＩ５４を手で握り、下ろくろＩＩ５４の係合溝とはじきを締結する。第１傘骨１をすぼめると、第１傘骨ワイヤー１１が第１傘骨の基端骨１２を反転させながら回収し、第２傘面４をすぼめる。すぼめた後の第１傘骨１の長さはすぼめた後の第２傘骨２の長さと同等となるため、すぼめた後の傘を効果的に最適長さとすることができ、折り畳み及び携帯に都合がよい。
【００２０】
最後に、以上は本考案の好ましい実施例にすぎず、本考案を制限するものではない。上記の実施例を参照して本考案につき詳細に説明したが、当業者であれば、上記の各実施例に記載した技術方案の変更や、一部技術的特徴の等価の置き換えも可能である。本考案の精神と原則の範囲内で実施されたあらゆる変更、等価の置き換え、改良等はいずれも本考案の保護の範囲に含まれる。
【図１】
0003223768.tif 000003
【図２】
0003223768.tif 000004
【図３】
0003223768.tif 000005
【図４】
0003223768.tif 000006
【図５】
0003223768.tif 000007